(57)【特許請求の範囲】
【請求項１】
背もたれ部と、マッサージ機能を有する一対の肘掛部と、座部と、を備え、肘掛部が側方向に移動可能に構成されたマッサージ椅子において、両肘掛部は座部の前方向および後方向に水平移動可能に構成され、肘掛部同士の間隔は肘掛部を座部の前方向に水平移動するにともなって広くのみなり、座部の後方向に水平移動するにともなって狭くのみなるようになされ、前後方向のいずれの位置においても肘掛部によるマッサージが可能なことを特徴とするマッサージ椅子。
【請求項２】
座部の両側部に設けられたガイドレールは水平で座部の側後部より側前部の方が座部の側部からの距離が長くなるように傾斜して配置され、肘掛部の下部に設けられた移動部材がガイドレールに沿って移動させることで移動可能に構成されたことを特徴とする請求項１記載のマッサージ椅子。
【請求項３】
両肘掛部が互いに平行を維持した状態で相反する両側方向に移動可能に構成されたことを特徴とする請求項１または２に記載のマッサージ椅子。
【請求項４】
肘掛部には、肘掛部の位置を固定する固定部を設けたことを特徴とする請求項１から３のいずれか１項に記載のマッサージ椅子。
【請求項５】
肘掛部の上面に上下に開閉するカバーと、背もたれ部にリクライニング機能と、を備え、背もたれ部が起き上がった際に、背もたれ部とカバーとの間に所定の距離が確保されるようになしたことを特徴とする請求項１から４のいずれか１項に記載のマッサージ椅子。
【発明の詳細な説明】
【技術分野】
【０００１】
本願発明は、使用者の腕のマッサージを行うことができる、マッサージ椅子に関するものである。
【背景技術】
【０００２】
マッサージ椅子においては、背もたれ部と一対の肘掛部とを有しており、このうち肘掛部には、使用者の腕をマッサージするマッサージ機能を備えていて、使用者が椅子に着座した状態で肘掛部に腕を置くと、肘掛部のマッサージ機能により使用者の腕をマッサージすることができる。
【０００３】
上記の構成において、肘掛部の下部にガイドレールを備えており、肘掛部をガイドレールに沿って椅子の前後方向に移動させて、肘掛部の長手方向の位置を使用者に合わせて変更することにより、使用者が自然な姿勢においてリラックスした状態で、マッサージを行うことができるマッサージ椅子が提案されている（特許文献１）。
【特許文献１】特開２００３−３１０６８３号公報
【発明の開示】
【発明が解決しようとする課題】
【０００４】
しかしながら、前記背景技術の特許文献１に記載のマッサージ椅子においては、肘掛部同士の間隔は常時一定であるために、例えば体型の小さな使用者にとっては、肘掛部同士の間隔が広すぎるとともに、逆に体型の大きな使用者にとっては、肘掛部同士の間隔が狭すぎることになる。
【０００５】
よって、使用者が腕を肘掛部に置いたときにいずれの場合も安定せず、リラックスした状態でマッサージ椅子を使用することが困難になることがあり、また、肘掛部に置いた腕が安定しないことから、腕のマッサージを確実に実施することができない場合があった。
【０００６】
本願発明はこのような上記背景技術の課題を解決するものであり、肘掛部を椅子の側方向に移動可能とし、使用者の体型にかかわらず肘掛部同士の間隔を適切に設定できることにより、使用者がリラックスした状態で腕のマッサージを確実に実施できる、マッサージ椅子を提供することを目的とする。
【課題を解決するための手段】
【０００７】
上記課題を解決するために、本願請求項１記載の発明は、背もたれ部と、マッサージ機能を有する一対の肘掛部と、座部と、を備え、肘掛部が側方向に移動可能に構成されたマッサージ椅子において、両肘掛部は座部の前方向および後方向に水平移動可能に構成され、肘掛部同士の間隔は肘掛部を座部の前方向に水平移動するにともなって広くのみなり、座部の後方向に水平移動するにともなって狭くのみなるようになされ、前後方向のいずれの位置においても肘掛部によるマッサージが可能となっている。
【０００８】
本願請求項２記載の発明は、上記請求項１記載のマッサージ椅子において、 座部の両側部に設けられたガイドレールは水平で座部の側後部より側前部の方が座部の側部からの距離が長くなるように傾斜して配置され、肘掛部の下部に設けられた移動部材がガイドレールに沿って移動させることで移動可能に構成されたことを特徴としている。
【０００９】
本願請求項３記載の発明は、上記請求項１または２記載のマッサージ椅子において、両肘掛部が互いに平行を維持した状態で相反する両側方向に移動可能に構成されたことを特徴としている。
【００１０】
本願請求項４記載の発明は、上記請求項１から３のいずれか１項に記載のマッサージ椅子において、肘掛部には、肘掛部の位置を固定する固定部を設けたことを特徴としている。
【００１１】
本願請求項５記載の発明は、上記請求項１から４のいずれか１項に記載のマッサージ椅子において、肘掛部の上面に上下に開閉するカバーと、背もたれ部にリクライニング機能と、を備え、背もたれ部が起き上がった際に、背もたれ部とカバーとの間に所定の距離が確保されるようになしたことを特徴としている。
【発明の効果】
【００１３】
本願請求項１記載の発明のマッサージ椅子においては、肘掛部を椅子の側方向に移動可能とすることで、使用者の体型にかかわらず肘掛部同士の間隔を適切に設定できるために、使用者がリラックスした状態で腕のマッサージを確実に実施可能な、マッサージ椅子を提供することができる。
【００１４】
本願請求項３記載の発明のマッサージ椅子においては、特に、両方の肘掛部を互いに平行の状態を維持したままで互いに相反する両側方向に移動することにより、肘掛部同士の間隔を細かく調整できるとともに、肘掛同士の間隔にかかわらず腕のマッサージをより確実に実施することができる。
【００１６】
本願請求項４記載の発明のマッサージ椅子においては、特に、肘掛部同士の間隔を設定した後に肘掛部の位置を固定できるために、肘掛部を安定させることにより腕へのマッサージを、さらに確実に実施することができる。
【００１７】
本願請求項５記載の発明のマッサージ椅子においては、特に、背もたれ部が起き上がった状態のときに、肘掛部の上面に設けられ、使用者の腕部に対して上方からマッサージを行うカバーと背もたれ部との間に、使用者の腕や胸または頭等を挟まないような距離を設けることで、安全なマッサージ椅子を提供できる。
【発明を実施するための最良の形態】
【００１９】
図１、２は、本願発明の第１の実施形態であるマッサージ椅子を示している。このマッサージ椅子は図１、２に示すように、背もたれ部１と、マッサージ機能を有する一対の肘掛部３と、を備えたマッサージ椅子において、少なくとも肘掛部３の一部が側方向に移動可能に構成されている。
【００２０】
次に、両方の肘掛部３は、互いに平行を維持した状態で相反する両側方向に移動可能に構成されている。
【００２１】
また、肘掛部３には、肘掛部３の位置を固定する固定部としての固定ネジ５を設けている。
【００２２】
また、肘掛部３の上面に上下に開閉するカバー６と、背もたれ部１にリクライニング機能と、を備え、背もたれ部１が起き上がった際に、背もたれ部１とカバー６の間に所定の距離が確保されている。
【００２３】
以下、この実施形態のマッサージ椅子をより具体的詳細に説明する。図１、２に示すように椅子２があり、その椅子２は、椅子２の後部に設けられて使用者の背部を支持する背もたれ部１と、椅子２の前部に設けられて使用者が着座する座部７とから構成されており、上記背もたれ部１には、リクライニング機能（図示せず）が設けられている。
【００２４】
座部７の前部には、使用者が椅子２に着座したときに脚を乗せる脚乗せ部８が設けられており、座部７の両側部には、座部７の側部を保護するためのケース９が配置されている。
【００２５】
また、ケース９の上方には使用者の腕を置くための肘掛部３が設けられていて、その肘掛部３は、肘掛部３の下方に水平に設けられ、断面が四角形状のガイドレール１０に、肘掛部３の下部に設けられ、肘掛部３の一部として構成された複数の移動部材１１が挿入された状態で支持されている。
【００２６】
この肘掛部３の移動部材１１において、ガイドレール１０の挿入孔１２は、移動部材１１と同様に四角形状に形成されており、上記移動部材１１をガイドレール１０に沿って移動させることで、肘掛部３を移動することができる。肘掛部３の移動部材１１の側面には、移動部材１１を所定の位置に固定する固定ネジ５が取りつけられている。
【００２７】
一方ガイドレール１０は、座部７の側部に設けられ、その側部から水平方向に突設されるとともに座部７とケース９の間で上方に屈曲されて、上記ガイドレール１０の両端部の下側に立設された、複数の支持部材１３により支持されている。
【００２８】
なお、支持部材１３は肘掛部３のストッパーも兼ねており、肘掛部３は、移動部材１１がガイドレール１０の両端部の支持部材１３に当接することにより、肘掛部３の移動が制限されるとともに、肘掛部３がガイドレール１０から脱落しないようになっている。
【００２９】
また、座部７の両側部のガイドレール１０は、座部７の側後部より側前部の方が、座部７の側部からの距離が長くなるよう傾斜して配置されているため、例えば、上記ガイドレール１０に沿って肘掛部３を座部７の後方側から前方側へ移動させると、肘掛部３は座部７の前方向、すなわち椅子２の前方向に移動するとともに、座部７の外側方向、すなわち椅子２の外側方向に平行移動することができる。
【００３０】
反対に肘掛部３を、座部７の前方側から後方側の方へ移動させると、肘掛部３は座部７の後方向、すなわち椅子２の後方向へ移動するとともに、座部７の内側方向、すなわち同様に椅子２の内側方向に平行移動することができる。
【００３１】
すなわち肘掛部３は、互いに平行を維持した状態において、椅子の外側方向および内側方向に移動させることができる。よって肘掛部３同士の間隔は、肘掛部３を、座部７の前方向に移動するにともなって広くなるとともに、肘掛部３を、座部７の後方向に移動するにともなって狭くなるように設定されている。
【００３２】
さらに、肘掛部３の上部には、一方が回動可能に支持されるとともに、もう一方が上下に開閉可能なカバー６が設けられている。肘掛部３の上面とカバー６の下面には、膨張および収縮可能な空気袋からなる、マッサージ機能を有するマッサージ部４が各々配置されている。
【００３３】
そのマッサージ部４には、椅子２の下部に設けられた空気供給部１４より、空気供給管１５を介して空気が供給されており、肘掛部３とカバー６の間に置かれた使用者の腕を、供給された空気により膨張したマッサージ部４によりマッサージしている。
【００３４】
ここで、椅子２の背もたれ部１のリクライニングが起き上がったときに、背もたれ部１と上記カバー６との間には、使用者の腕や胸または頭等を挟まないような距離が設けられている。
【００３５】
以上の構成において、本願発明の第１の実施形態におけるマッサージ椅子の動作を図１、２を用いて説明する。
【００３６】
使用者が、椅子２の座部７に着座して脚乗せ部８に脚部を乗せるとともに、背もたれ部１のリクライニングを調整すると、使用者の背部が背もたれ部１により支持される。
【００３７】
ここで、使用者が背もたれ部１のリクライニングを起こした状態に設定しても、背もたれ部１と肘掛部３の上部に開閉可能に設けられたカバー６との間には、使用者の腕や胸または頭等を挟まないような十分な距離が設けられているため、使用者が背もたれ部１のリクライニングを起こしたとしても、使用者の腕や胸または頭等が挟まれることはない。
【００３８】
次に使用者は、肘掛部３の移動部材１１の固定ネジ５を緩め、肘掛部３を動かすことで移動部材１１をガイドレール１０に沿って移動させて、肘掛部３同士の間隔を使用者の体型に合った間隔に設定し、固定ネジ５を締めることで肘掛部３を固定する。
【００３９】
このとき上述したように、ガイドレール１０は、座部７の後方側より前方側の方が、座部７の側部からの距離が長くなるよう傾斜して配置されているため、肘掛部３を座部７の前方向に移動すると、肘掛部３は座部７の側方向にも移動することで肘掛部３同士の間隔は広くなり、肘掛部３を座部７の後方向に移動すると、同様に肘掛部３は座部７の側方向に移動するが、肘掛部３同士の間隔は逆に狭くなる。
【００４０】
また、肘掛部３を移動させるときは、移動部材１１がガイドレール１０の両端に設けられた支持部材１３に当接するまで移動させることができる。また、移動部材１１が支持部材１３に当接することにより、移動部材１１がガイドレール１０から脱落することはない。
【００４１】
次に、使用者が操作部（図示せず）の運転スイッチを入れるとともに、肘掛部３と肘掛部３の上部に開閉可能に設けられたカバー６との間に腕を置くと、空気供給部１４において生成された圧縮空気が、空気供給管１５を介して肘掛部３の上面とカバー６の下面に設けられたマッサージ部４に供給されて、使用者の腕をマッサージする。
【００４２】
そして所定時間経過後、または使用者が操作部のスイッチを切ると、空気供給部１４からの圧縮空気の供給が停止されて、椅子型マッサージ機の運転が終了する。
【００４３】
以上のように本願発明の第１の実施形態によれば、椅子２の両側に設けられた肘掛部３を、互いに平衡状態を維持したままで、座部７の前後方向だけでなく、両側方向にも移動させることができるため、肘掛部３の間隔を使用者の体型に最も合うように設定することが可能となり、このため、使用者が常時リラックスした状態で腕のマッサージを行うことができる、マッサージ椅子を提供できる。
【００４４】
また、肘掛部３の移動部材１１に設けられた固定ネジ５を緩めることで肘掛部３が移動可能になるとともに、固定ネジ５を締めることで肘掛部３を固定できるため、肘掛部３を安定させることができるとともに、マッサージ部４による腕へのマッサージを、より確実に行うことができる。
【００４５】
さらに、使用者が背もたれ部１のリクライニングを起こした状態に設定しても、背もたれ部１と肘掛部３の上部に開閉可能に設けられたカバー６との間には、使用者の腕や胸または頭等を挟まないような十分な距離が設けられているため、使用者が背もたれ部１のリクライニングを起こしたとしても、使用者の腕や胸または頭等が挟まれることはない。
【００４６】
図３、４は、本願発明の第２の実施形態であるマッサージ椅子を示している。ここでは、上記第１の実施形態と相違する事項についてのみ説明し、同様の構成や作用効果等を有するものについては上記第１の実施形態の説明を援用する。
【００４７】
本願発明の第２の実施形態が上記第１の実施形態と異なる部分は、図３、４に示すように肘掛部３が、座部７の両側部に設けられ、その側部から水平方向に突設されるとともに上方に屈曲され立設された軸受け１６に、肘掛部３の前方下部に設けられ、肘掛部３と一体に構成された軸１７が挿入されることにより支持されているところである。
【００４８】
ここで、軸受け１６において軸１７の挿入孔１２および軸１７は、軸１７を支点として肘掛部３を水平方向に回転可能とするために、各々断面が円状に形成されている。
【００４９】
上記差異をふまえて、本願発明の第２の実施形態におけるマッサージ椅子の動作について図３、４を用いて説明する。
【００５０】
使用者が、椅子２の座部７に着座してから、背もたれ部１のリクライニングを調整するまでは、上記第１の実施例と同様である。
【００５１】
ここで、使用者が背もたれ部１のリクライニングを起こした状態に設定しても、背もたれ部１と肘掛部３の上部に開閉可能に設けられたカバー６との間には、使用者の腕や胸または頭等を挟まないような十分な距離が設けられているため、使用者が背もたれ部１のリクライニングを起こしたとしても、使用者の腕や胸または頭等が挟まれることはない。
【００５２】
次に使用者は、肘掛部３を、肘掛部３の前方下部に設けられた軸１７を支点として水平方向に回転させて、肘掛部３同士の間隔を使用者の体型に合った間隔に設定する。
【００５３】
このとき、上述したように肘掛部３を水平方向に回転することで、肘掛部３を座部７の前後方向だけでなく、側方向にも移動させることができる。よって使用者は、肘掛部３同士の間隔を使用者の体型に合った間隔に調整することができる。
【００５４】
使用者が、肘掛部３を回転させて肘掛部３同士の間隔を設定して以降の動作については、上記第１の実施形態の動作と同様である。
【００５５】
以上のように本願発明の第２の実施形態によれば、肘掛部３の前方下部に設けられ、肘掛部３と一体に構成された軸１７を、座部７の側部に設けられた軸受け１６に挿入した構成とすることにより、肘掛部３を水平方向に回転させることにより、肘掛部３を座部７の前後方向だけでなく側方向にも移動させることができるために、肘掛部同士の間隔の設定を簡単かつ安価な構造にて行うことができる。
【００５６】
図５は、本願発明の第３の実施形態であるマッサージ椅子を示している。ここでは、上記第１の実施形態と相違する事項についてのみ説明し、同様の構成や作用効果等を有するものについては上記第１の実施形態の説明を援用する。
【００５７】
本願発明の第３の実施形態が上記第１の実施形態と異なる部分は、図５に示すように、肘掛部３の中央部の下側に移動ガイド１８が設けられており、その移動ガイド１８の下部には、ガイドレール１０と平行に設けられるとともに、表面がネジ形状に形成された回転軸１９が挿入されていて、回転軸１９が回転すると、移動ガイド１８が回転軸１９により移動されることで、肘掛部３がガイドレール１０に沿って移動するところである。
【００５８】
また回転軸１９は、一方端が座部７の側部より突設されるとともに、座部７とケース９の間で上方に屈曲され立設された支持部材２０に、回転自在に支持されており、回転軸１９のもう一方端には、回転軸１９の駆動源となる小型のモータ２１が設けられていて、そのモータ２１は、椅子２の下部に内蔵された制御部２２により制御されている。
【００５９】
さらに、モータ２１と制御部２２とは、ケーブル２３により接続されている。
【００６０】
上記差異をふまえて、本願発明の第３の実施形態におけるマッサージ椅子の動作について図５を用いて説明する。
【００６１】
使用者が、椅子２の座部７に着座してから、背もたれ部１のリクライニングを調整するまでは、上記第１の実施例と同様である。
【００６２】
ここで、使用者が背もたれ部１のリクライニングを起こした状態に設定しても、背もたれ部１と肘掛部３の上部に開閉可能に設けられたカバー６との間には、使用者の腕や胸または頭等を挟まないような十分な距離が設けられているため、使用者が背もたれ部１のリクライニングを起こしたとしても、使用者の腕や胸または頭等が挟まれることはない。
【００６３】
また、使用者が背もたれ部１のリクライニングを起こした状態に設定した場合は、制御部２２がモータ２１を駆動して回転軸１９を回転させ、肘掛部３を座部７の前方向、すなわち椅子２の前方向へ移動させることにより、肘掛部３と背もたれ部１の間に、特に使用者の腕が挟まれることがない程度の所定の間隔を、常時設けるように制御を行う。
【００６４】
さらに、使用者が操作部（図示せず）を操作することにより、制御部２２がモータ２１を駆動して回転軸１９を回転させて、肘掛部３を座部７の前後方向および側方向に移動させることができる。
【００６５】
よって、使用者は肘掛部３同士の間隔を、使用者の体型に最も合うように操作部において自動で設定することが可能となるため、きわめて簡単に肘掛部３同士の間隔の設定をおこなうことができる。
【００６６】
またこのときも、制御部２２は肘掛部３と背もたれ部１の間に、特に使用者の腕が挟まれることがない程度の所定の間隔を、常時設けるように制御を行うために、使用者は安全に肘掛部３同士の間隔の設定をおこなうことができる。
【００６７】
使用者が、操作部により肘掛部３同士の間隔を設定して以降の動作については、上記第１の実施形態の動作と同様である。
【００６８】
以上のように本願発明の第３の実施形態によれば、使用者が背もたれ部１のリクライニングを起こした状態に設定した場合は、制御部２２がモータ２１を駆動して回転軸１９を回転させ、肘掛部３を座部７の前方側、すなわち椅子２の前方側へ移動させることにより、肘掛部３と背もたれ部１の間に、特に使用者の腕が挟まれることがない程度の所定の間隔を常時設けるように制御を行うため、きわめて安全なマッサージ椅子を提供することができる。
【００６９】
また、使用者は肘掛部３同士の間隔を、使用者の体型に最も合うように操作部において自動で設定することが可能となるため、きわめて簡単に肘掛部３同士の間隔の設定をおこなうことができる。
【００７０】
このときも、制御部２２は肘掛部３と背もたれ部１の間に、特に使用者の腕が挟まれることがない程度の所定の間隔を、常時設けるように制御を行うために、使用者は安全に肘掛部３同士の間隔の設定をおこなうことができる。
【００７１】
なお、上記本願発明の実施形態においては、マッサージ部４を肘掛部３およびカバー６にのみ設けているが、例えば背もたれ部１および座部７、さらには脚乗せ部８に設けてもよい。
【００７２】
上記第１および第３の実施形態において、ガイドレール１０の断面形状は四角形状としているが、例えば円形状や楕円形状でもよく、支持部材１３についても同様である。
【００７３】
また、上記第１の実施形態において、固定ネジ５は肘掛部３の移動部材１１に一つのみ設けているが、例えば全ての移動部材１１に設けてもよい。
【００７４】
さらに、上記第３の実施形態において、肘掛部３の移動は制御部２２により駆動されたモータ２１により自動で行っているが、例えば背もたれ部１のリクライニングを起こした際に、肘掛部３の固定を解除することで、使用者の腕が挟まれないようにした構造でもよいし、背もたれ部１のリクライニングを起こした際に、背もたれ部１が肘掛部３を椅子２の前方向に押し出す構造としてもよい。
【００７５】
背もたれ部１のリクライニングの角度を検知する方法としては、例えば図５、６に示すように、背もたれ部１に内蔵されたフレーム２４の下部に送りネジ２５を回転自在に接続し、その送りネジを駆動するギヤボックス２６に内蔵されたモータ２７が設けられている。
【００７６】
送りネジ２５の上側には、フレーム２４の角度検出部２８が送りネジ２５と平行に設けられていて、その角度検出部２８は、ギヤボックス２６の上部に移動自在に接続されている。
【００７７】
モータ２７が始動されると、モータ２７を内蔵したギヤボックス２６により送りネジ２５が駆動され、ギヤボックス２６により、送りネジ２５は回転しながら脚乗せ部８側へ移動する。送りネジ２５の移動に伴い、送りねじ２５が接続されたフレーム２４の下部が、同様に脚乗せ部８側へ移動することにより、フレーム２４がリクライニングする。
【００７８】
このとき、送りねじ２５と平行に設けられた角度検出部２８も、送りねじ２５と同様に脚乗せ部８側へ移動するために、この角度検出部２８の移動量を検知することで、フレーム２４、すなわち背もたれ部１のリクライニング角度を検知することができる。
【００７９】
そして、角度検出部２８により検知されたリクライニング角度を、制御部２２（図６においては図示せず）に送信するようにすれば、使用者が背もたれ部１のリクライニングを起こした状態に設定した場合は、制御部２２がモータ２１を駆動して回転軸１９を回転させ、肘掛部３を座部７の前方側、すなわち椅子２の前方側へ移動させることができる。
【図面の簡単な説明】
【００８０】
【図１】本願発明の第１の実施形態であるマッサージ椅子の側面図。
【図２】同マッサージ椅子の平面図。
【図３】本願発明の第２の実施形態であるマッサージ椅子の側面図。
【図４】同マッサージ椅子の平面図。
【図５】本願発明の第３の実施形態であるマッサージ椅子の側面図。
【図６】同マッサージ椅子のリクライニング機能の内部構造を示す側面図。
【符号の説明】
【００８１】
１  背もたれ部
２  椅子
３  肘掛部
４  マッサージ部（マッサージ機能）
５  固定ネジ（固定部）
６  カバー
１９  回転軸
２１  モータ
２２  制御部
【図１】
0004779637.tif 000002
【図２】
0004779637.tif 000003
【図３】
0004779637.tif 000004
【図４】
0004779637.tif 000005
【図５】
0004779637.tif 000006
【図６】
0004779637.tif 000007